(57)【特許請求の範囲】
【請求項１】
左右に渡される横材と前記横材の左部および右部にそれぞれ立設される２つの縦材とが剛性接続された複数の骨組部品と、
側壁となる複数の側面パネルと、
上壁となる天面パネルと、
を備え、
前記縦材は、前記側面パネルの１つの縁部を上方から通して挟み込むようにガイドするガイド枠を有し、
前記複数の側面パネルの各々は、前記複数の縦材のうち隣接する一対の縦材に設けられた一対の前記ガイド枠に係合されて固定されることを特徴とする地中埋設箱。
【請求項２】
左右に渡される横材と前記横材の左部および右部にそれぞれ立設される２つの縦材とが剛性接続された複数の骨組部品と、
側壁となる複数の側面パネルと、
上壁となる天面パネルと、
土台となる底フレーム部品と、
を備え、
前記底フレーム部品には前記複数の骨組部品とそれぞれ係合する複数の係合部が設けられ、
前記複数の骨組部品は前記底フレーム部品の前記複数の係合部に係合されて固定され、
前記複数の側面パネルは、前記複数の骨組部品の前記縦材に係合されて固定されることを特徴とする地中埋設箱。
【請求項３】
前記横材の上に配置される底面パネルを、さらに備え、
前記底面パネルは、上方から見て隣接する一対の縦材の間に張り出す張出部を有し、
前記張出部が前記側面パネルと前記骨組部品との間に挟持されて前記底面パネルが固定されることを特徴とする請求項１記載の地中埋設箱。
【請求項４】
前記複数の係合部には、
前記骨組部品を前記底フレーム部品の内方から前記底フレーム部品の前端部へ移動させたときに前記骨組部品と係合する前方係合部と、
前記骨組部品を前記底フレーム部品の内方から前記底フレーム部品の後端部へ移動させたときに前記骨組部品と係合する後方係合部と、
が含まれることを特徴とする請求項２に記載の地中埋設箱。
【請求項５】
前記前方係合部および前記後方係合部には、前記骨組部品を係合位置に制止する制止部が設けられていることを特徴とする請求項４記載の地中埋設箱。
【請求項６】
前記底フレーム部品は、別の前記底フレーム部品と連結可能な連結部を対向する辺にそれぞれ備えることを特徴とする請求項２、請求項４、請求項５の何れか一項に記載の地中埋設箱。
【発明の詳細な説明】
【技術分野】
【０００１】
本発明は、地中に埋設されてケーブルやその接続部などを収容する地中埋設箱に関する。
【背景技術】
【０００２】
鉄道線路の沿線においてケーブル又はその接続部などを収容するハンドホールと呼ばれる地中埋設箱が設置されることがある。このようなハンドホールにより、地中に敷設されたケーブル又はその接続部に対し、地上から手を差し入れて、必要な作業を行うことができる。
従来、ハンドホールの設置は、先ず、施工箇所の掘削を行い、掘削部の周囲を土留めし、その中に型枠を作成してコンクリートを流し込み、養生後に型枠を外して周囲を埋め戻すという施工により行われていた。このように、コンクリート製のハンドホールは、その施工に多大な労力と日数がかかるものであった。
【０００３】
そこで、従来、ハンドホールを組立式にするという発明が幾つか提案されている（例えば特許文献１〜３を参照）。の組立式のハントホールは、パネル同士またはパネルとフレーム材とを止め具により締結して箱状のハンドホールを形成するものである。また、特許文献３の組立式のハントホールは、上下前後左右の６つのパネルを組み合わせることで、立方体形状のハンドホールを形成するものである。このような発明によれば、ハンドホールの設置の労力を大幅に低減できる。
【先行技術文献】
【特許文献】
【０００４】
【特許文献１】特開平１１−２０５９８４号公報
【特許文献２】特開２００５−０３００４４号公報
【特許文献３】特許第４７０９８０３号公報
【発明の概要】
【発明が解決しようとする課題】
【０００５】
しかしながら、上記特許文献１と特許文献２の組立式のハンドホールでは、施工箇所で組み立てを行う場合、作業スペースの確保のために、ハンドホールより一回り大きな穴を掘削しなければならないという課題がある。作業スペースにより、止め具を用いてハンドホールの各部品を締結することができる。作業スペースはハンドホールの組立後に埋め戻すことになる。
一方、特許文献３には、ボルト、釘、又は接着剤を用いずに、凹凸嵌合だけで６つのパネルを組み合わせてもよい旨の記載がある。しかしながら、特許文献３の構成では、分離した６つのパネルを組み合わせるだけなので、これらを組み合わせている途中において各パネルが安定しないという課題がある。例えば天板を組み付けていない状態では、左右のパネルに左右から外力が加わった場合に、パネルは簡単に倒れてしまう。ハンドホールにケーブルを敷設する際には、ハンドホールの天面を外してケーブルの引き入れ又は引き出しを行えると便利なことがある。しかしながら、上下前後左右のパネルを組み合わせるだけの構成では、このような作業を安定的に行うことは難しい。
【０００６】
本発明は、組立式の地中埋設箱であって、周囲に大きな作業スペースを確保しなくても施工箇所で組立可能であり、且つ、天面パネルを外した状態でも強度が確保される地中埋設箱を提供することを目的とする。
【課題を解決するための手段】
【０００７】
本発明の地中埋設箱は、
左右に渡される横材と前記横材の左部および右部にそれぞれ立設される２つの縦材とが剛性接続された複数の骨組部品と、
側壁となる複数の側面パネルと、
上壁となる天面パネルと、
を備え、
前記複数の側面パネルは、前記複数の骨組部品の前記縦材に係合されて固定される。
【０００８】
この構成によれば、周囲に大きな作業スペース、すなわち大面積の設置穴を用意せずに、地中埋設箱を施工箇所で組み立てることができる。具体的には、掘削を行って施工箇所を用意したら、施工箇所に複数の骨組部材を固定し、骨組部品の複数の縦材に複数の側面パネルを係合させて、地中埋設箱の四方の側壁を設ける。このような作業は設置穴の内部に作業員が入って内側のみから行うことができる。そのため地中埋設箱の底面積よりも大きな作業スペースを要することなく、地中埋設箱を組み立てることができる。よって、少ない掘削量で地中埋設箱を施工し、施工後の掘削部分の埋め戻しも少なくて済む。
さらに、上記構成によれば、骨組部品によって左右方向からの外力に対抗する剛性が得られる。加えて、縦材に係合される左右の側面パネルによって、前後方向からの外力に対抗する剛性が得られる。よって、天面パネルを外していても、地中埋設箱の強度を確保することができ、天面パネルを外した状態で例えばケーブルの引込みや引き出し等の作業を行うことができる。
【０００９】
ここで、前記縦材は、前記側面パネルの１つの縁部を上方から通して挟み込むようにガイドするガイド枠を有し、
前記複数の側面パネルの各々は、前記複数の縦材のうち隣接する一対の縦材に設けられた一対の前記ガイド枠に係合されていてもよい。
この構成によれば、骨組部品と側面パネルとを簡単に且つ強固に係合させることができる。
【００１０】
さらに、本発明の地中埋設箱は、
前記横材との上に配置される底面パネルを、さらに備え、
前記底面パネルは、上方から見て隣接する一対の縦材の間に張り出す張出部を有し、
前記張出部が前記側面パネルと前記骨組部品との間に挟持されて前記底面パネルが固定されるようにしてもよい。
この構成によれば、底面パネルの設置および固定を容易に行うことができる。
【００１１】
また、本発明の地中埋設箱は、
土台となる底フレーム部品をさらに備え、
前記底フレーム部品には前記複数の骨組部品とそれぞれ係合する複数の係合部が設けられ、
前記複数の骨組部品は前記底フレーム部品の前記複数の係合部に係合されて固定されるように構成するとよい。
【００１２】
この構成により、複数の骨組部品の固定と位置決めを容易に且つ確実に行うことができる。
【００１３】
また、前記複数の係合部には、
前記骨組部品を前記底フレーム部品の内方から前記底フレーム部品の前端部へ移動させたときに前記骨組部品と係合する前方係合部と、
前記骨組部品を前記底フレーム部品の内方から前記底フレーム部品の後端部へ移動させたときに前記骨組部品と係合する後方係合部と、
が含まれるとよい。
【００１４】
この構成によれば、複数の骨組部品の固定を、設置穴の内部に作業員が入って内側のみから行うことができる。そのため地中埋設箱の底面積よりも大きな作業スペースを要することなく、地中埋設箱を組み立てることができる。
【００１５】
さらに、前記前方係合部および前記後方係合部には、前記骨組部品を係合位置に制止する制止部が設けられているとよい。
このような構成によれば、骨組部品を内方から前端部又は後端部へ移動させて前方係合部又は後方係合部に係合する際、骨組部品を制止部により制止する位置まで動かせばよいので、作業性の向上を図ることができる。
【００１６】
また、前記底フレーム部品は、別の前記底フレーム部品と連結可能な連結部を対向する辺にそれぞれ備えるように構成してもよい。
この構成によれば、複数の底フレーム部品を一方向に連結し、連結した部位の側面パネルを設けないことで、地中埋設箱を一方向に長いＵ形側溝の形態にすることができる。
【発明の効果】
【００１７】
本発明の地中埋設箱によれば、周囲に大きな作業スペースを確保しなくても施工箇所で組立可能であり、且つ、天面パネルを外した状態でも強度を確保することができる。
【図面の簡単な説明】
【００１８】
【図１】本発明の実施の形態に係る地中埋設箱の各部品を示す分解斜視図である。
【図２】実施の形態に係る地中埋設箱の第１の組立工程を示す図である。
【図３】実施の形態に係る地中埋設箱の第２の組立工程を示す図である。
【図４】実施の形態に係る地中埋設箱の第３の組立工程を示す図である。
【図５】実施の形態に係る地中埋設箱の第４の組立工程を示す図である。
【図６】実施の形態の変形例の地中埋設箱の底フレーム部品を示す斜視図である。
【発明を実施するための形態】
【００１９】
以下、本発明の実施の形態について図面を参照して詳細に説明する。
図１は、本発明の実施の形態に係る地中埋設箱の各部品を示す分解斜視図である。図２〜図５は、地中埋設箱の第１〜第４の組立工程を説明する図である。
本明細書において上下前後左右の各方向は、地中埋設箱１が水平に設置された状態における上下前後左右の各方向を意味する。また、前後方向とは敷設されるケーブルの引込穴と引出穴とが設けられる方向を意味する。
本発明の実施の形態の地中埋設箱１は、地中に埋設されてケーブルやその接続部を収容する例えばハンドホールと呼ばれる埋設箱である。地中埋設箱１は、底フレーム部品１０と、骨組部品２１〜２３と、底面パネル３０と、左右の側面パネル４０と、前後の側面パネル５０と、天面パネル６０とを備えている。
【００２０】
このうち、底フレーム部品１０と骨組部品２１〜２３とは金属製の部品であり、底面パネル３０、側面パネル４０、５０、および天面パネル６０は、高強度の樹脂製部品である。
底フレーム部品１０は、地中埋設箱１の土台となり、骨組部品２１〜２３を支持する部品である。底フレーム部品１０の左縁部および右縁部には、骨組部品２１〜２３が載置および摺動可能な、前後方向に延びるレール１１、１２が設けられている。
また、底フレーム部品１０には、レール１１、１２の前端部、後端部、中央部において、それぞれ骨組部品２１〜２３と係合するための係合部１４〜１６が設けられている。係合部１４〜１６は、具体的には、側方からレール１１、１２の上方に片材を張り出した構成である。
【００２１】
骨組部品２１〜２３は、地中埋設箱１の底部において左右に渡される横材Ｔと、横材Ｔの左部と右部に立設される２つの縦材Ｖとを、溶接等により剛性接続して構成される。横材Ｔの左右端部には縦材Ｖより横方に張り出した張出部２０１が設けられている。張出部２０１は、底フレーム部品１０の係合部１４〜１６に係合する部分である。また、前方の骨組部品２１と後方の骨組部品２３には、底フレーム部品１０の係合部１４、１６に当接するストッパー２０２が設けられている。
骨組部品２１〜２３の縦材Ｖには、側面パネル４０、５０の縦方向に延びる縁部分が嵌入されるガイド枠２０５、２０６（図３および図４を参照）が設けられている。ガイド枠２０５、２０６は、スジ状であり縦材Ｖの上端から下端まで延設されている。各縦材Ｖには、互いに異なる向きの２つのガイド枠２０５、２０５（又は２０５、２０６）が設けられ、周方向に隣接する別の縦材Ｖのガイド枠２０５（又はガイド枠２０６）と対になって、側面パネル４０、５０をガイドおよび保持する。
【００２２】
底面パネル３０は、底フレーム部品１０と骨組部品２１〜２３の横材Ｔとの上に設置されて、箱内の底壁となるパネルである。底面パネル３０には、複数の縦材Ｖをそれぞれ避ける複数の切欠３１と、上方から見て複数の縦材Ｖの間に張り出す複数の張出部３２とが設けられている。左右の側面パネル４０は、地中埋設箱１の左右の側壁を構成する板材である。なお、側面パネル４０の外面には、凹凸を設けてもよい。また、正面と裏面とで異なる大きさの凹凸を設けて、どちらを地中埋設箱１の外面とするか選択可能にしてもよい。このような凹凸により、周囲が土砂で埋められた場合に、側面パネルと土砂との間の抵抗が大きくなり、側面パネル４０、５０の浮き上がり防止の作用を大きくできる。
【００２３】
前後の側面パネル５０は、地中埋設箱１の前後の側壁を構成する板材である。側面パネル５０は、地中埋設箱１に収容されるケーブル等に応じてケーブルの引き込み又は引き出しのための様々な切欠き５１、５２が設けられる。
天面パネル６０は、上方に載置されて地中埋設箱１の上壁を構成する板材である。図１および図５では簡略化して表わしているが、天面パネル６０は、地中埋設箱１の上方に配置したときに、水平方向に移動しないように、地中埋設箱１の上部開口に嵌合するように凹凸形状を有していてもよい。
【００２４】
＜施工方法＞
次に、本実施の形態の地中埋設箱１の施工方法について説明する。
ここでは、鉄道線路沿線の地中に送電ケーブルの一部を収容するために地中埋設箱１を施工する例を示す。
地中埋設箱１を施工するには、先ず、施工箇所の掘削を行う。掘削は、地中埋設箱１を設置できる空間を確保できるように行えばよく、その周囲に大きな作業空間を必要としない。
【００２５】
掘削が完了したら、掘削箇所の地ならし等を行った後、掘削箇所に底フレーム部品１０を設置する。次いで、底フレーム部品１０に骨組部品２１〜２３を組み付ける。例えば、前方の骨組部品２１を組み付ける際には、図２（ａ）に示すように、先ず、骨組部品２１の左右端部が底フレーム部品１０のレール１１、１２上に乗るように配置する。続いて、図２（ｂ）に示すように、骨組部品２１を、底フレーム部品１０の内方から前端部へ移動するように、骨組部品２１を移動させる。すると、骨組部品２１の張出部２０１が係合部１４とレール１１、１２の部分に挟まれて、骨組部品２１が底フレーム部品１０に係合される。さらに、骨組部品２１のストッパー２０２が係合部１４の側面（本発明に係る制止部に相当）に当接して、骨組部品２１が制止されその係合位置が決まる。
【００２６】
同様に、中央の骨組部品２２と後方の骨組部品２３とを底フレーム部品１０の中央の係合部１５と後端の係合部１６とにそれぞれ係合させる。なお、中央の骨組部品２２は、前後方向どちらから移動させて係合部１５に係合して良いようにストッパーを設けていないが、同様のストッパーを設けてもよい。後方の骨組部品２３は、底フレーム部品１０の内方から後端部へ移動して係合部１６に係合するように、ストッパー２０２は係合部１６における底フレーム部品１０の中央寄りの側部に設けられている。
次に、図３に示すように、底面パネル３０を、上方から降ろして、底フレーム部品１０と骨組部品２１〜２３の横材Ｔの上に配置する。このとき、図４に示すように、底面パネル３０の切欠３１は縦材Ｖを避け、張出部３２は隣接する一対の縦材Ｖの間に張り出した状態となる。
【００２７】
続いて、図４に示すように、側面パネル４０を縦材Ｖの間に設置する。具体的には、側面パネル４０は、その対向する２つの縁部が、一対の縦材Ｖの２つのガイド枠２０５に、上方から下方へ通されるように嵌入されて、縦材Ｖから外れないように設置される。
同様に、前後の側面パネル５０も縦材Ｖの間に設置する。具体的には、側面パネル５０も、その対向する２つの縁部が、一対の縦材Ｖの２つのガイド枠２０６に、上方から下方へ通されるように嵌入されて、縦材Ｖから外れないように設置される。
図５に示すように、側面パネル４０が設置されると、側面パネル４０が底面パネル３０の張出部３２に乗った状態となり、底面パネル３０が側面パネル４０と底フレーム部品居０に挟持されて固定される。なお、図示では、前後の側面パネル５０が、張出部３２に乗らない構成を示しているが、前後の側面パネル５０も張出部３２に乗る構成としてもよい。
【００２８】
この状態において、側面パネル５０に設けられた切欠き５２に管継手を接続したり、他方の切欠き５１にトラフの接続を行って、これらを介して送電ケーブルの引き込み又は引き出しを行うことができる。
このとき、天面パネル６０は設置されていないが、地中埋設箱１に左右方向から大きな荷重Ｆ１（図５）が加わった場合でも、骨組部品２１、２２、２３の剛性により、地中埋設箱１は荷重Ｆ１に耐えることができる。また、地中埋設箱１に前後方向から大きな荷重Ｆ２（図５）が加わった場合でも、骨組部品２１〜２３を介して左右の側面パネル４０が面に沿った方向に力を受けるので、地中埋設箱１は荷重Ｆ２に耐えることができる。
続いて、天面パネル６０を上部開口に嵌合することで、地中埋設箱１の組み立てが完了する。
地中埋設箱１の組み立てが完了したら、周囲を埋め戻し、地慣らし等を行って施工が完了となる。
【００２９】
以上のように、本実施の形態の地中埋設箱１によれば、周囲に大きな作業スペースを用意しなくても、上述した施工方法により、地中埋設箱１を施工箇所で組み立てることができる。よって、少ない掘削量で地中埋設箱を施工し、施工後の掘削部分の埋め戻しも少なくて済む。
さらに、本実施の形態の地中埋設箱１によれば、骨組部品２１〜２３によって左右方向からの外力に対抗する剛性が得られる。加えて、縦材Ｖに係合される左右の側面パネル４０によって、前後方向からの外力に対抗する剛性が得られる。よって、天面パネル６０を外していても、地中埋設箱１の強度を確保することができ、天面パネル６０を外した状態で例えばケーブルの引込みや引き出し等の作業を行うことができる。
【００３０】
（変形例）
図６は、実施の形態の変形例の地中埋設箱の底フレーム部品を示す斜視図である。
変形例の地中埋設箱は、底フレーム部品１０Ａに連結部１８ａ、１８ｂを設けて、地中埋設箱を前後方向に連結できるようにしたものである。その他の構成は、上述の実施の形態の地中埋設箱１と同様であり、詳細な説明を省略する。
底フレーム部品１０Ａには、前後の対向する辺に連結部１８ａ、１８ｂが設けられている。これにより、図６（ｂ）に示すように、複数の底フレーム部品１０Ａを前後方向の連結することができる。
【００３１】
複数の底フレーム部品１０Ａを連結した場合には、連結された部分の側面パネル５０を設置しないことで、内部空間が一続きの前後方向に長い地中埋設箱を構成できる。これにより地中埋設箱をトラフとして利用可能である。
以上、本発明の実施の形態について説明したが、本発明は上記の実施の形態に限られるものではない。例えば、底フレーム部品１０Ａと骨組部品２１〜２３との係合は、図示した具体例に限られず、例えばフックをフック受けに掛けることで、両者を係合するような構成を適用するなど、様々な変形例を採用できる。また、縦材と側面パネルとの係合構成には、内側からボルト等で両者を締結する構成が含まれていてもよい。また、底フレーム部品は予め底面パネルが結合された構成としてもよい。その他、実施の形態で示した細部は、発明の趣旨を逸脱しない範囲で適宜変更可能である。
【符号の説明】
【００３２】
１  地中埋設箱
１０  底フレーム部品
１１、１２  レール
１４〜１６  係合部
２１〜２３  骨組部品
３０  底面パネル
３２  張出部
４０、５０  側面パネル
６０  天面パネル
【図１】
0006667302.tif 000002
【図２】
0006667302.tif 000003
【図３】
0006667302.tif 000004
【図４】
0006667302.tif 000005
【図５】
0006667302.tif 000006
【図６】
0006667302.tif 000007